(57)【特許請求の範囲】
【請求項１】
カードキーの先端側部分を受け入れるガイド溝を有するカードガイドを錠前装置本体内に摺動可能に設け、カードキーの操作でカードガイドを錠前装置本体内の第１位置又は第２位置に切り換えることにより施錠又は解錠を行うカード式錠前装置において、
カードガイドにはガイド溝に開口する同一形状の複数個のロック手段保持部をガイド溝の幅方向に一列に配設し、カードキーの平面部には予め選択されたロック手段保持部と合致するようにキー穴を形成し、キー穴と合致するロック手段保持部にはカードガイドが第１位置又は第２位置にあるときカードキーの平面部に乗り上げると錠前装置本体の所定位置に設けた第１係止部に係合してカードガイドをロックし且つカードキーのキー穴に係合すると第１係止部から離脱してカードガイドのロックを解除する第１のロック手段を設け、別のロック手段保持部にはカードガイドが第１位置又は第２位置にあるときガイド溝に挿入されたカードキーの平面部に乗り上げると錠前装置本体の所定位置に設けた第２係止部から離脱してカードガイドのロックを解除する第２のロック手段を設け、
第１のロック手段及び第２のロック手段が、それぞれ一端部がカードキーのキー穴に係合可能に形成された係合ピンを有し、第１のロック手段の係合ピンは錠前装置本体の第１係止部に係合可能な他端部を有し、第２のロック手段はその係合ピンと連動して揺動する揺動アームを有し、この揺動アームは第２のロック手段の係合ピンの他端部に連結される一端部と錠前装置本体の第２係止部に係合可能な他端部とを有し、カードガイドの各ロック手段保持部は、第１及び第２のロック手段の係合ピンをカードキーの厚み方向に移動自在に保持することができるピン保持孔と、揺動アームを揺動自在に保持するためのアーム保持部とを有する
ことを特徴とするカード式錠前装置。
【請求項２】
第１のロック手段の係合ピンの他端部側が一端部側よりも小径に形成され、係合ピンをガイド溝への突出方向に付勢するピン付勢ばねが係合ピンの他端部側に外挿されてロック手段保持部のピン保持孔に保持されていることを特徴とする請求項１記載のカード式錠前装置。
【請求項３】
第２のロック手段は揺動アームを錠前装置本体の第２係止部への係合方向に付勢すると共に揺動アームを介して係合ピンをガイド溝への突出方向に付勢するアーム付勢ばねを有し、各ロック手段保持部はこのアーム付勢ばねを保持するためのばね保持穴を有することを特徴とする請求項１記載のカード式錠前装置。
【請求項４】
カードキーの先端側部分を受け入れるガイド溝を有するカードガイドを錠前装置本体内に摺動可能に設け、カードキーの操作でカードガイドを錠前装置本体内の第１位置又は第２位置に切り換えることにより施錠又は解錠を行うカード式錠前装置において、
カードガイドにはガイド溝に開口する同一形状の複数個のロック手段保持部をガイド溝の幅方向に一列に配設し、カードキーの平面部には予め選択されたロック手段保持部と合致するようにキー穴を形成し、キー穴と合致するロック手段保持部にはカードガイドが第１位置又は第２位置にあるときカードキーの平面部に乗り上げると錠前装置本体の所定位置に設けた第１係止部に係合してカードガイドをロックし且つカードキーのキー穴に係合すると第１係止部から離脱してカードガイドのロックを解除する第１のロック手段を設け、別のロック手段保持部にはカードガイドが第１位置又は第２位置にあるときガイド溝に挿入されたカードキーの平面部に乗り上げると錠前装置本体の所定位置に設けた第２係止部から離脱してカードガイドのロックを解除する第２のロック手段を設け、
錠前装置本体はカードキー挿入口を有する前面板と背面板と上面板と底面板と左右の側面板とを有し、錠前装置本体内のカードガイドは前面板の内面に当接する位置を第１位置とし、背面板の近傍の後方位置を第２位置とし、背面板に当接する位置を第３位置として第１位置と第３位置との間を前後に移動可能に設けられており、錠前装置本体内にはさらにカードキーで第１位置から後方に押圧されるカードガイドを前方に付勢して第１位置に復帰させるガイド復帰ばねと、カードガイドがカードキーで押されて第１位置から第３位置へと移動した後の復帰時にはカードガイドを第２位置に係止し、且つカードガイドがカードキーで押されて第２位置から第３位置へと移動した後の復帰時には第１位置まで復帰させる動作規制手段とを有する
ことを特徴とするカード式錠前装置。
【請求項５】
動作規制手段がカードガイドまたは錠前装置本体のうちの一方に設けられ、略ハート形のカム溝を有する溝カムと、他方に揺動可能に枢着されて溝カムのカム溝に係合する係合アームと、この係合アームを揺動区間の中立位置に復帰させる中立ばねとを有することを特徴とする請求項４記載のカード式錠前装置。
【発明の詳細な説明】
【０００１】
【産業上の利用分野】
本発明は、各種のドアや家具例えばファイルキャビネット等の引出しの施錠機構に好適に使用することができる錠前装置に関し、更に詳しくは、カードキーで操作する機械作動式の錠前装置に関する。
【０００２】
【従来の技術】
従来、引出しや扉を有する家具においては、引出しや扉を収納位置又は閉位置にロックする施錠機構が設けられている。この種の施錠機構は、引出しや扉を収納位置又は閉位置に係止するためのラッチ機構と、引出しや扉或いは家具本体の前面に設けられる錠前装置とを有し、錠前装置をキーで操作することによりラッチ機構を掛止位置にロックするように構成されている。
【０００３】
部屋のドアや家具の錠前装置としてはキーを差し込んで回転させるタイプのシリンダ錠が一般的であるが、近年、携帯に便利なカードキーを用いるものが使用されつつある。この種のカード式錠前装置は一般にカードキーの表面に記録された磁気情報若しくは光情報を読み取り、ソレノイド等のアクチュエータを駆動してドア等のロック機構を解除させるものとなっている。
【０００４】
【発明が解決しようとする課題】
上述したカード式錠前装置は電源を必要とするため、設置場所の制約を受けるという難点がある。また、電気、電子回路を用いるため高価になるとともに故障しやすく、さらに電力消費によるコストアップを招くという欠点がある。
【０００５】
したがって、本発明の目的は、電源が不要で信頼性及び安全性の高いカード式錠前装置を提供することにある。
【０００６】
【課題を解決するための手段】
請求項１記載の発明は、カードキーの先端側部分を受け入れるガイド溝を有するカードガイドを錠前装置本体内に摺動可能に設け、カードキーの操作でカードガイドを錠前装置本体内の第１位置又は第２位置に切り換えることにより施錠又は解錠を行うカード式錠前装置において、カードガイドにはガイド溝に開口する同一形状の複数個のロック手段保持部をガイド溝の幅方向に一列に配設し、カードキーの平面部には予め選択されたロック手段保持部と合致するようにキー穴を形成し、キー穴と合致するロック手段保持部にはカードガイドが第１位置又は第２位置にあるときカードキーの平面部に乗り上げると錠前装置本体の所定位置に設けた第１係止部に係合してカードガイドをロックし且つカードキーのキー穴に係合すると第１係止部から離脱してカードガイドのロックを解除する第１のロック手段を設け、別のロック手段保持部にはカードガイドが第１位置又は第２位置にあるときガイド溝に挿入されたカードキーの平面部に乗り上げると錠前装置本体の所定位置に設けた第２係止部から離脱してカードガイドのロックを解除する第２のロック手段を設け、第１のロック手段及び第２のロック手段が、それぞれ一端部がカードキーのキー穴に係合可能に形成された係合ピンを有し、第１のロック手段の係合ピンは錠前装置本体の第１係止部に係合可能な他端部を有し、第２のロック手段はその係合ピンと連動して揺動する揺動アームを有し、この揺動アームは第２のロック手段の係合ピンの他端部に連結される一端部と錠前装置本体の第２係止部に係合可能な他端部とを有し、カードガイドの各ロック手段保持部は、第１及び第２のロック手段の係合ピンをカードキーの厚み方向に移動自在に保持することができるピン保持孔と、揺動アームを揺動自在に保持するためのアーム保持部とを有することを特徴とする。
【０００７】
請求項２記載の発明は、請求項１記載のカード式施錠前装置において、第１のロック手段の係合ピンの他端部側が一端部側よりも小径に形成され、係合ピンをガイド溝への突出方向に付勢するピン付勢ばねが係合ピンの他端部側に外挿されてロック手段保持部のピン保持孔に保持されていることを特徴とする。
【０００８】
請求項３記載の発明は、請求項１記載のカード式錠前装置において、第２のロック手段は揺動アームを錠前装置本体の第２係止部への係合方向に付勢すると共に揺動アームを介して係合ピンをガイド溝への突出方向に付勢するアーム付勢ばねを有し、各ロック手段保持部はこのアーム付勢ばねを保持するためのばね保持穴を有することを特徴とする。
【０００９】
請求項４記載の発明は、カードキーの先端側部分を受け入れるガイド溝を有するカードガイドを錠前装置本体内に摺動可能に設け、カードキーの操作でカードガイドを錠前装置本体内の第１位置又は第２位置に切り換えることにより施錠又は解錠を行うカード式錠前装置において、カードガイドにはガイド溝に開口する同一形状の複数個のロック手段保持部をガイド溝の幅方向に一列に配設し、カードキーの平面部には予め選択されたロック手段保持部と合致するようにキー穴を形成し、キー穴と合致するロック手段保持部にはカードガイドが第１位置又は第２位置にあるときカードキーの平面部に乗り上げると錠前装置本体の所定位置に設けた第１係止部に係合してカードガイドをロックし且つカードキーのキー穴に係合すると第１係止部から離脱してカードガイドのロックを解除する第１のロック手段を設け、別のロック手段保持部にはカードガイドが第１位置又は第２位置にあるときガイド溝に挿入されたカードキーの平面部に乗り上げると錠前装置本体の所定位置に設けた第２係止部から離脱してカードガイドのロックを解除する第２のロック手段を設け、錠前装置本体はカードキー挿入口を有する前面板と背面板と上面板と底面板と左右の側面板とを有し、錠前装置本体内のカードガイドは前面板の内面に当接する位置を第１位置とし、背面板の近傍の後方位置を第２位置とし、背面板に当接する位置を第３位置として第１位置と第３位置との間を前後に移動可能に設けられており、錠前装置本体内にはさらにカードキーで第１位置から後方に押圧されるカードガイドを前方に付勢して第１位置に復帰させるガイド復帰ばねと、カードガイドがカードキーで押されて第１位置から第３位置へと移動した後の復帰時にはカードガイドを第２位置に係止し、且つカードガイドがカードキーで押されて第２位置から第３位置へと移動した後の復帰時には第１位置まで復帰させる動作規制手段とを有することを特徴とする。
【００１０】
請求項５記載の発明は、請求項４記載のカード式錠前装置において、動作規制手段がカードガイドまたは錠前装置本体のうちの一方に設けられ、略ハート形のカム溝を有する溝カムと、他方に揺動可能に枢着されて溝カムのカム溝に係合する係合アームと、この係合アームを揺動区間の中立位置に復帰させる中立ばねとを有することを特徴とする。
【００１１】
【作用】
請求項１記載のカード式錠前装置においては、カードガイドが第１位置又は第２位置にあるとき、予め選択されたロック手段保持部と合致する位置にキー穴を有する適正なカードキーが挿入されると、第２のロック手段はカードキーの先端からその平面部に乗り上げて錠前装置本体の第２係止部から離脱することによりカードガイドのロックを解除する。また、第１のロック手段は一旦カードキーの先端からその平面部に乗り上げて錠前装置本体の第１係止部に係合することによりカードガイドをロックした後、キー穴に係合することにより錠前装置本体の第１係止部から離脱してカードガイドのロックを解除する。したがって、カードガイドが移動可能となる。一方、予め選択されたロック手段保持部と合致する正規の位置にキー穴を有しない不正なカードキーが挿入されると、第１のロック手段がカードキーの平面部に乗り上げた位置に保たれ、それ故錠前装置本体の第１係止部に係合した状態に保たれるので、カードガイドはロック状態に保たれる。また、不正なキー穴又は溝が形成された不正なカードキーの場合、第２のロック手段がその不正なキー穴又は溝に係合することにより錠前装置本体の第２係止部に係合するので、カードガイドはロック状態に保たれる。したがって、不正なカードキーでは施錠及び解錠を行なうことができない。
【００１２】
また、ロック手段保持部に保持される第１のロック手段と第２のロック手段がカードキーの幅方向に一列に配列されるので、第２のロック手段がカードキーの先端からその平面部に乗り上げてカードガイドのロックを解除すると同時に第１のロック手段がカードキーの先端からその平面部に乗り上げてカードガイドをロックする。したがって、カードガイドの誤動作を防止することができる。
【００１３】
さらに、複数個のロック手段保持部は同一形状であるので、ロック手段保持部を任意に選択して第１のロック手段又は第２のロック手段を保持することができる。したがって、第１のロック手段と第２のロック手段の配列順序を容易に変更できるので、安全性の高いカード式錠前装置を容易に提供することができると共に、カードガイドを共通化できるので、安価に提供することができる。
【００１４】
また、第１及び第２のロック手段を簡素な構成にて実現できると共に、第１のロック手段と第２のロック手段のどちらでも組み込み可能なロック手段保持部を簡易な構成で実現できる。
【００１５】
請求項２記載のカード式錠前装置においては、第１のロック手段の係合ピンをピン付勢ばねで押圧してカードキーのキー穴に係合させることができるので、錠前装置本体をどのような角度でドア、家具等に取り付けても第１のロック手段でカードガイドを安定にロック解除動作させることができる。また、ピン付勢ばねは係合ピンと共にピン保持孔に保持されるので、カードガイド及びカード式錠前装置全体をコンパクトな構成にすることができる。
【００１６】
請求項３記載のカード式錠前装置においては、第２のロック手段の揺動アームをアーム付勢ばねで押圧して錠前装置本体の第２係止部に係合させることができるので、錠前装置本体をどのような角度でドア、家具等に取り付けても第２のロック手段でカードガイドを安定にロック動作させることができる。
【００１７】
請求項４記載のカード式錠前装置においては、カードガイドが第１位置又は第２位置にあるとき、予め選択されたロック手段保持部と合致する位置にキー穴を有する適正なカードキーが挿入されると、第２のロック手段はカードキーの先端からその平面部に乗り上げて錠前装置本体の第２係止部から離脱することによりカードガイドのロックを解除する。また、第１のロック手段は一旦カードキーの先端からその平面部に乗り上げて錠前装置本体の第１係止部に係合することによりカードガイドをロックした後、キー穴に係合することにより錠前装置本体の第１係止部から離脱してカードガイドのロックを解除する。したがって、カードガイドが移動可能となる。一方、予め選択されたロック手段保持部と合致する正規の位置にキー穴を有しない不正なカードキーが挿入されると、第１のロック手段がカードキーの平面部に乗り上げた位置に保たれ、それ故錠前装置本体の第１係止部に係合した状態に保たれるので、カードガイドはロック状態に保たれる。また、不正なキー穴又は溝が形成された不正なカードキーの場合、第２のロック手段がその不正なキー穴又は溝に係合することにより錠前装置本体の第２係止部に係合するので、カードガイドはロック状態に保たれる。したがって、不正なカードキーでは施錠及び解錠を行なうことができない。
【００１８】
また、ロック手段保持部に保持される第１のロック手段と第２のロック手段がカードキーの幅方向に一列に配列されるので、第２のロック手段がカードキーの先端からその平面部に乗り上げてカードガイドのロックを解除すると同時に第１のロック手段がカードキーの先端からその平面部に乗り上げてカードガイドをロックする。したがって、カードガイドの誤動作を防止することができる。
【００１９】
さらに、複数個のロック手段保持部は同一形状であるので、ロック手段保持部を任意に選択して第１のロック手段又は第２のロック手段を保持することができる。したがって、第１のロック手段と第２のロック手段の配列順序を容易に変更できるので、安全性の高いカード式錠前装置を容易に提供することができると共に、カードガイドを共通化できるので、安価に提供することができる。
【００２０】
また、カードガイドの第１位置から第２位置への移動は、カードキーでカードガイドを後方に押圧して第１位置から第３位置まで移動させた後ガイド復帰ばねの力で第２位置まで復帰させることにより行われる。また、カードガイドの第２位置から第１位置への移動は、カードキーでカードガイドを後方に押圧して第２位置から第３位置まで移動させた後ガイド復帰ばねの力で第１位置まで復帰させることにより行われる。すなわち、どちらの移動もカードキーをその挿入方向に押圧することで達成されるので、カードキーの操作性が良くなる。
【００２１】
また、カードキーはカードガイドが第１位置にあるときにカードガイドから前方に引き抜くことができると共に、カードガイドが第２位置にあるときもカードガイドから前方に引き抜くことができる。すなわち、カードガイドが第２位置にあるときは第１及び第２のロック手段はカードガイドのロックを解除しているが、カードガイドは動作規制手段によって第２位置に係止されているので、カードガイドを第２位置に係止した状態でカードキーを前方に引き抜くことができる。なおこのとき、第１のロック手段はカードキーのキー穴に係合しているが、カードキーを引き抜くと第１のロック手段はキー穴から離脱してカードキーの平面部に乗り上げると共に錠前装置本体の第１係止部に係合するので、カードキーの引抜きを支障なく行うことができると共に、カードキーを引き抜く間第１のロック手段がカードガイドを第２位置にロックするので動作規制手段に加わる負荷を軽減できる。さらに、カードキーをカードガイドから引き抜くと第２のロック手段が錠前装置本体の第２係止部に係合してカードガイドを第２位置にロックするので、カードガイドを安定に第２位置に保持することができる。
【００２２】
上記のように、カードガイドが施錠と解錠に対応した第１位置及び第２位置にあるときにカードキーを引き抜くことができるので、カードキーの取扱いの安全性が高まり、用途上の制約がなくなる。
【００２３】
請求項５記載のカード式錠前装置においては、簡易な構成で動作規制手段を実現することができる。
【００２４】
【実施例】
以下、図面を参照して本発明の実施例につき説明する。
【００２５】
図１は本発明の一実施例を示すカード式錠前装置の斜視図であり、図２は錠前装置の分解斜視図であり、図３は動作規制手段を示す斜視図であり、図４から図８までは動作説明図である。はじめに図１及び図２を参照すると、カード式錠前装置は錠前装置本体１を有し、この錠前装置本体１は上ケース２と下ケース３と前面板４とからなっている。上ケース２は上面板２ａと上背面板２ｂとを有している。下ケース３は底面板３ａと下背面板３ｂと左右の側面板３ｃ，３ｃとを有し、上ケース２の上背面板２ｂと下ケース３の下背面板３ｂとで錠前装置本体の背面板を構成している。なお背面板を上ケース２又は下ケースのみに設けてもよいが、図示実施例の如く構成すれば上下ケース２，３双方の強度を高めることができる。
【００２６】
前面板４にはカードキー５を挿入するためのカード挿入口４ａが形成されており、さらに、前面板４の頂部と底部にはそれぞれ上ケース２の上面板に形成された係合穴２ｃに係合する突起４ｂと、下ケース３の底面板３ａに形成された係合穴３ｄに係合する突起（不図示）とが形成されている。さらに上ケース２の上面板２ａの両側縁にはねじ穴を有する耳片２ｄが折曲形成されており、下ケース３の側面板３ｃに通したねじ６をこの耳片２ｄのねじ穴にねじ込むことにより、前面板４を上ケース２と下ケース３に組み付けた状態で上ケース２と下ケース３とを締結することができる。
【００２７】
錠前装置本体１内には上ガイド体８と下ガイド体９とからなるカードガイド７が収納されている。このカードガイド７はカード挿入口４ａから挿入されたカードキー５の先端側部分を受け入れるガイド溝１０（図５(a) 参照）を有する。
【００２８】
このカードガイド７は、前面板４の内面に当接する位置（図４(a)，図５(a)，図６(a) 参照）を第１位置とし、背面板（上下背面板２ｂ，３ｂ）の近傍の後方位置（図４(c)，図７(a)，図８(a) 参照）を第２位置とし、背面板に当接する位置（図４(b)，図５(d)，図６(d) 参照）を第３位置として第１位置と第３位置との間を前後に移動可能に設けられている。カードガイド７を安定にガイドするために、下ケース３の底面板３ａには前後方向に延びる２つの平行な長溝３ｅが形成されており、カードガイド７の底面に突設された２つの突起９ａが長溝３ｅに摺動可能に係合している。
【００２９】
錠前装置本体１内にはさらにカードキー５で押されて第１位置から後方に移動したカードガイド７を前方に付勢して第１位置に復帰させる２本のガイド復帰ばね１１（図２及び図５(a) 参照）が設けられている。ガイド復帰ばね１１は圧縮ばねであってもよいが、この実施例では引張ばねであるコイルばねが用いられており、前面板４とカードガイド７との間に張設されている。
【００３０】
図２、図３及び図４を参照すると、錠前装置本体１内にはさらに動作規制手段１２が設けられている。この動作規制手段１２は、カードガイド７の底面に設けられ、略ハート形のカム溝１４を有する溝カム１３と、下ケース３の底面板３ａに揺動可能に枢着されて溝カム１３のカム溝１４に係合する係合アーム１５と、この係合アーム１５を揺動区間の中立位置に復帰させる中立ばね１６とを有する。図４を参照すると、この動作規制手段１２は、カードガイド７がカードキー５で押されて第１位置（図４(a) ）から第３位置（図４(b) ）へと移動した後の復帰時にはカードガイド７を第２位置（図４(c) ）に係止し、且つカードガイド７がカードキー５で押されて第２位置（図４(c) ）から第３位置（図４(d) ）へと移動した後の復帰時には第１位置まで復帰させる。
【００３１】
すなわち、図示カード式錠前装置は、カードキー５の操作でカードガイド７を錠前装置本体１内の第１位置又は第２位置に切り換えることにより施錠又は解錠を行うものであるが、カードガイド７の第１位置から第２位置への移動は、カードキー５でカードガイド７を後方に押圧して第１位置から第３位置まで移動させた後ガイド復帰ばね１１の力で第２位置まで復帰させることにより行われる。また、カードガイド７の第２位置から第１位置への移動は、カードキー５でカードガイド７を後方に押圧して第２位置から第３位置まで移動させた後ガイド復帰ばね１１の力で第１位置まで復帰させることにより行われる。すなわち、どちらの移動もカードキー５をその挿入方向に押圧することで達成される。
【００３２】
次に、カードガイド７を第１位置及び第２位置で錠前装置本体１にロックするためのロック手段について説明する。
【００３３】
図２を参照すると、カードガイド７にはガイド溝１０に開口する同一形状の複数個（図示実施例では８つ）のロック手段保持部１７がガイド溝１０の幅方向に一列に配設されている。また、カードキー５の平面部には予め任意に選択されたロック手段保持部（図示実施例では４つの保持部と合致するように４つのキー穴５ａが形成されている。この実施例ではキー穴５ａはカードキー５を貫通しているが、有底状の穴であってもよい。
【００３４】
カードキー５のキー穴５ａと合致する４つのロック手段保持部１７にはそれぞれ第１のロック手段１９が設けられている。この第１のロック手段１９は、カードガイド７が第１位置又は第２位置にあるときカードキー５の平面部に乗り上げると錠前装置本体１の所定位置に設けた第１係止部１８に係合してカードガイド７をロックし且つカードキー５のキー穴５ａに係合すると錠前装置本体１の第１係止部１８から離脱してカードガイド７のロックを解除する。
【００３５】
また、別のロック手段保持部（図示実施例では２つの保持部）にはそれぞれ第２のロック手段２１が設けられている。この第２のロック手段２１は、カードガイド７が第１位置又は第２位置にあるときガイド溝１０に挿入されたカードキー５の平面部に乗り上げると錠前装置本体１の所定位置に設けた第２係止部２０から離脱してカードガイド７のロックを解除する。
【００３６】
更に詳しく説明すると、第１のロック手段１９及び第２のロック手段２１はそれぞれ係合ピン２２，２３を有し、これら係合ピン２２，２３の一端部２２ａ，２３ａはカードキー５のキー穴５ａに係合可能に形成されている。また、係合ピン２２，２３の一端部２２ａ，２３ａは円錐形状を有しているので、カードキー５の先端に当接した後その平面部に容易に乗り上げることができる。第１のロック手段１９の係合ピン２２は錠前装置本体１の第１係止部１８に係合可能な他端部２２ｂを有する。また、第２のロック手段２１は係合ピン２３と連動して揺動する揺動アーム２４を有し、この揺動アーム２４は係合ピン２３の他端部に連結される一端部２４ａと錠前装置本体１の第２係止部２０に係合可能な他端部２４ｂとを有する。そして、カードガイド７の各ロック手段保持部１７は第１及び第２のロック手段１９，２１の係合ピン２２，２３をカードキー５の厚み方向に移動自在に保持することができるピン保持孔１７ａと、揺動アーム２４を揺動自在に保持するためのアーム保持部１７ｂとを有する。
【００３７】
さらに、第１ロック手段１９の係合ピン２２の他端部２２ｂ側は一端部２２ａ側よりも小径に形成され、係合ピン２２をガイド溝１０への突出方向に付勢するピン付勢ばね２５が係合ピン２２の他端部２２ｂ側に外挿されてロック手段保持部１７のピン保持孔１７ａに保持されている。また、第２のロック手段２１は揺動アーム２４を錠前装置本体１の第２係止部２０への係合方向に付勢すると共に揺動アーム２４を介して係合ピン２３をガイド溝１０への突出方向に付勢するアーム付勢ばね２６を有し、各ロック手段保持部１７はこのアーム付勢ばね２６を保持するためのばね保持穴１７ｃを有する。
【００３８】
さらに、カードガイド７には錠前装置本体１の外部に突出する作動軸２７が設けられる。この実施例では作動軸２７はカードガイド７の２つの突起９ａから下方に突設されている。したがって、この作動軸２７を介してカードガイド７を家具等の施錠機構（図示省略）に容易に連結することができる。
【００３９】
次に、図５から図８までを参照して、本発明の特徴をなす第１及び第２のロック手段１９，２１の動作を説明する。
【００４０】
カードガイド７が第１位置にあるとき（図５(a) 及び図６(a) ）、カードキー５が挿入されていない状態では第１のロック手段１９は第１係止部１８から離脱しているが（図６(a) 参照）、第２のロック手段２１は第２係止部２０に係合しているので、カードガイド７はこの第２のロック手段２１により第１位置にロックされている。
【００４１】
今、予め選択されたロック手段保持部１７と合致する位置にキー穴５ａを有する適正なカードキー５が挿入されると、第２のロック手段２１の係合ピン２３がカードキー５の先端からその平面部に乗り上げるので、第２のロック手段２１の揺動アーム２４が錠前装置本体１の第２係止部２０から離脱することによりカードガイド７のロックを解除する（図５(b) 参照）。また、第１のロック手段１９の係合ピン２２は一旦カードキー５の先端からその平面部に乗り上げて錠前装置本体１の第１係止部１８に係合することによりカードガイド７を第１位置にロックする（図６(b) 参照）。そしてその後、キー穴５ａに係合することにより錠前装置本体１の第１係止部１８から離脱してカードガイド７のロックを解除する（図６(c) ）。したがって、カードガイド７が移動可能となり、カードキー５でカードガイド７を押すことにより、カードガイド７を第３位置まで移動させることができる（図５(d)，図６(d)参照）。
【００４２】
なお、図１において符号５’で示すカードキーは別のカード式錠前装置に用いるものである。このカードキー５’には合計６つのキー穴が形成されており、符号５ａで示す３つのキー穴はカードキー５のキー穴５ａと同じ位置に形成されているが、カードキー５’の残りの３つのキー穴５ａ’は何れもカードキー５とは異なる位置に形成されている。また、カードキー５’においてはカードキー５の残りの１つのキー穴５ａに対応する箇所にキー穴がない。このようなキー穴の位置の異なるカードキー５’が挿入されると、４つの係合ピン２２のうちの１つがカードキー５’のキー穴５ａ’に係合せず、カードキー５’の平面部に乗り上げた位置に保たれるので、この係合ピン２２の他端部は錠前装置本体１の第１係止部１８に係合した状態に保たれる。したがって、カードガイド７はロック状態に保たれる。また、カードキー５’では２つの第２のロック手段２１に対応する位置にキー穴５ａ’が形成されているので、カードキー５’の挿入時に第２のロック手段２１の係合ピン２３がそのキー穴５ａ’に係合し、これにより揺動アーム２４が錠前装置本体１の第２係止部２０に係合するので、カードガイド７はロック状態に保たれる。したがって、キー穴の位置が適正でないカードキーでは施錠及び解錠を行なうことができない。
【００４３】
また、ロック手段保持部１７に保持される第１のロック手段１９と第２のロック手段２１がカードキー５の幅方向に一列に配列されているので、第２のロック手段２１の係合ピン２３がカードキー５の先端からその平面部に乗り上げてカードガイド７のロックを解除すると同時に第１のロック手段１９の係合ピン２２がカードキー５の先端からその平面部に乗り上げてカードガイド７をロックすることができる。したがって、カードガイド７の誤動作を防止することができる。
【００４４】
カードキー５で押してカードガイド７を第３位置まで移動させた後、ガイド復帰ばね１１で前方に復帰させると、動作規制手段１２の働きにより、カードガイド７は第２位置に係止される（図７(a)，図８(a) 参照）。また、カードガイド７が第２位置にあるとき第２のロック手段２１の係合ピン２３はカードキー５の平面部に乗り上げており錠前装置本体１の第２係止部２０から離脱している。さらに、カードガイド７が第２位置にあるとき第１のロック手段１９の係合ピン２２はカードキー５のキー穴５ａに係合して錠前装置本体１の第１係止部１８から離脱しているが、係合ピン２２は第１係止部１８に係合可能な位置にある。したがって、カードガイド７が第２位置にあるとき、図７(b)，(c)及び図８(b)，(c)に示すように、カードキー５をカードガイド７から引き抜くことができる。そして、カードキー５がカードガイド７のガイド溝１０から引き抜かれるとき、第１のロック手段１９の係合ピン２２が第１係止部１８に係合してカードガイド７を第２位置にロックするので、動作規制手段１２に加わる負荷を軽減することができる。また、カードキー５がガイド溝１０から離脱すると第２のロック手段２１の揺動アーム２４が第２係止部２０に係合してカードガイド７を第２位置にロックするので、カードガイド７を第２位置に安定に保持することができる。
【００４５】
カードガイド７を第２位置から第１位置へと移動させるときは、カードキー５をカードガイド７のガイド溝１０に挿入し、第１及び第２のロック手段１９，２１によるカードガイド７のロックを解除させる。そして、カードキー５を後方に押圧してカードガイド７を第３位置まで移動させた後、ガイド復帰ばね１１の力でカードガイド７を第１位置まで復帰させることができる。そして、カードガイド７が第１位置にあるとき、カードキー５をカードガイド７のガイド溝１０から引き抜くことができる。
【００４６】
上記のように、カードガイド７の第１位置から第２位置への移動も第２位置から第１位置への移動も共にカードキー５をその挿入方向に押圧することで達成されるので、カードキー５の操作性が良くなる。また、カードガイド７が施錠と解錠に対応した第１位置及び第２位置にあるときにカードキー５を引き抜くことができるので、カードキー５の取扱いの安全性が高まり、カード式錠前装置の用途上の制約がなくなる。
【００４７】
さらに、上記構成のカード式錠前装置においては、第１のロック手段１９の係合ピン２２をピン付勢ばね２５で押圧してカードキー５のキー穴５ａに係合させることができるので、錠前装置本体１をどのような角度でドア、家具等に取り付けても第１のロック手段１９でカードガイド７を安定にロック解除動作させることができる。また、ピン付勢ばね２５は係合ピン２２と共にピン保持孔１７ａに保持されるので、カードガイド７及びカード式錠前装置全体をコンパクトな構成にすることができる。また、第２のロック手段２１の揺動アーム２４をアーム付勢ばね２６で押圧して錠前装置本体１の第２係止部２０に係合させることができるので、錠前装置本体１をどのような角度でドア、家具等に取り付けても第２のロック手段２１でカードガイド７を安定にロック動作させることができる。
【００４８】
また、複数個のロック手段保持部１７は同一形状であるので、ロック手段保持部１７を任意に選択して第１のロック手段１９又は第２のロック手段２１を保持することができる。したがって、第１のロック手段１９と第２のロック手段２１の配置の異なるカード式錠前装置を容易に提供することができると共に、カードガイド７を共通化できるので、安価に提供することができる。
【００４９】
なお、図１及び図２に示すように、上記実施例における第１係止部１８は個々の第１のロック手段１９の係合ピン２２に係合可能な貫通穴の形態を有し、且つ、４つの第１のロック手段１９の配置に対応するように錠前装置本体１の上ケース２に形成されているが、図９に示すように、８つの全てのロック手段保持部１７の位置に対応して上ケース２に第１係止部１８としての貫通孔を形成してもよい。また、上記実施例における第２係止部２０は個々の第２のロック手段２１の揺動アーム２４に係合可能な貫通穴の形態を有し、且つ、残りの４つのロック手段保持部１７の配置に対応するように錠前装置本体１の上ケース２に形成されているが、図９に示すように、８つの全てのロック手段保持部１７の位置に対応して上ケース２に第２係止部２０としての貫通孔を形成してもよい。さらに、第１及び第２のロック手段用係止部１８，２０は、図１０に示すように、カードキー５の幅方向に延びる長溝の形態を有していてもよい。そして、第１及び第２のロック手段用係止部１８，２０を構成する穴や長溝は錠前装置本体１の上面板２ａを貫通する貫通穴や貫通溝の形態をなすものであってもよいが、有底状の穴又は溝にすると上面板の上から第１及び第２のロック手段１９，２１の位置が見えなくなるので、不正行為に対する安全性が高まる。また、図９及び図１０に示す実施例の場合、第１及び第２のロック手段１９，２１の配列順序が異なる場合でも共通の錠前装置本体を用いいることができるので、安価に提供できることとなる。
【００５０】
さらに、図９に示すように、第１のロック手段１９の位置に対応するキー穴５ａを有する適正なカードキー５には、正規のキー穴５ａとカードキー５の幅方向に整列しない位置に第２のロック手段２１の位置に対応するダミーの穴５ｂを形成してもよい。このようなダミーの穴５ｂは第２のロック手段２１のロック及びロック解除動作には何等支障を来すことはなく、また、このようなダミーの穴５ｂを形成することにより、穴の配置状態が複雑になるので、不正行為に対する安全性が高まる。
【００５１】
さらに、上記実施例は、カードガイド７がカードキー５の挿入方向すなわち前後方向に移動可能となっているが、カードガイド７を錠前装置本体内の第１位置と第２位置との間でカードキー５の挿入方向と直交する方向（縦方向又は横方向）に移動可能に設けることもできる。
【００５２】
【発明の効果】
以上の説明から明かなように、本発明によるカード式錠前装置は機械的動作のみによってカードキーによる施錠および解錠の切換えを容易に行うことができるので、設置場所の制約がなく、コンパクトで信頼性が高く、しかも安価に製造することができる。また、複数個のロック手段保持部は同一形状であるので、第１のロック手段及び第２のロック手段の保持に利用するロック手段保持部を任意に選択することができ、第１のロック手段と第２のロック手段の配列順序を容易に変更することができるので、安価で安全性の高いカード式錠前装置を提供することができる。
【図面の簡単な説明】
【図１】本発明に係るカード式錠前装置の一実施例を示す斜視図である。
【図２】図１に示す錠前装置の分解斜視図である。
【図３】図１に示す錠前装置の動作規制手段を示す斜視図である。
【図４】(a) 〜(d) は、図１に示す錠前装置のカードガイド及び動作規制手段の動作を順番に示す底面構成図である。
【図５】(a) 〜(d) は、図１に示す錠前装置のカードガイドが第１位置から第３位置まで移動するときの第２のロック手段の動作を順番に示す縦断面図である。
【図６】(a) 〜(d) は、図１に示す錠前装置カードガイドが第１位置から第３位置まで移動するときの第１のロック手段の動作を順番に示す縦断面図である。
【図７】(a) 〜(c) は、第２位置にあるカードガイドからカードキーを引き抜くときの第２のロック手段の動作を順番に示す縦断面図である。
【図８】(a) 〜(c) は、第２位置にあるカードガイドからカードキーを引き抜くときの第１のロック手段の動作を順番に示す縦断面図である。
【図９】第１及び第２係止部の変形例を示すカード式錠前装置の斜視図である。
【図１０】第１及び第２係止部の別の変形例を示すカード式錠前装置の上ケースの内面を示す斜視図である。
【符号の説明】
１        錠前装置本体
２        上ケース
３        下ケース
４        前面板
４ａ      カード挿入口
５        カードキー
５ａ      キー穴
７        カードガイド
１０        ガイド溝
１１        ガイド復帰ばね
１２        動作規制手段
１３        カム
１４        カム溝
１５        係合アーム
１６        中立ばね
１７        ロック手段保持部
１８        第１係止部
１９        第１のロック手段
２０        第２係止部
２１        第２のロック手段
２２，２３  係合ピン
２４        揺動アーム
２５        ピン付勢ばね
２６        アーム付勢ばね
２７        作動軸
【図１】
0003580569.tif 000002
【図２】
0003580569.tif 000003
【図３】
0003580569.tif 000004
【図４】
0003580569.tif 000005
【図５】
0003580569.tif 000006
【図６】
0003580569.tif 000007
【図７】
0003580569.tif 000008
【図８】
0003580569.tif 000009
【図９】
0003580569.tif 000010
【図１０】
0003580569.tif 000011